(57)【特許請求の範囲】
【請求項１】
印刷対象の画像に基づき、所定の形状を有する印刷媒体上に印刷させる場合の前記印刷対象の画像における印刷対象の領域を示すサンプル画像であって、前記領域の異なる複数のサンプル画像を生成する生成工程と、
前記生成工程において生成された複数のサンプル画像を含み、前記複数のサンプル画像のいずれかをユーザが指定するためのシートを印刷装置に印刷させる第１の印刷制御工程と、
前記第１の印刷制御工程において印刷されたシートを読取装置が読み取って得られた読取画像を取得する取得工程と、
前記取得工程において取得された読取画像に基づき前記シートに含まれる複数のサンプル画像のうちユーザが指定したサンプル画像を特定し、前記印刷対象の画像における、特定された当該サンプル画像に対応する領域の画像を、前記印刷装置により前記所定の形状に対応した印刷媒体に印刷させる第２の印刷制御工程と、
を有することを特徴とする画像処理方法。
【請求項２】
複数の画像から印刷対象の画像をユーザが指定するためのシートを印刷装置に印刷させる第３の印刷制御工程と、
前記第３の印刷制御工程において印刷されたシートを読取装置が読み取って得られた読取画像に基づき、ユーザにより指定された印刷対象の画像を特定する特定工程と、を有し、
前記生成工程では、前記特定工程において特定された画像に基づき複数のサンプル画像を生成することを特徴とする請求項１に記載の画像処理方法。
【請求項３】
前記第３の印刷制御工程では、複数の画像から印刷対象の画像をユーザが指定し、且つ前記第１の印刷制御工程における印刷をユーザが指定するためのシートを印刷させ、
前記第３の印刷制御工程において印刷されたシートを読取装置が読み取って得られた読取画像に基づきユーザにより前記第１の印刷制御工程における印刷が指定されていると判断された場合に、前記第１の印刷制御工程では、前記生成工程において生成された、前記特定工程において特定された画像に基づく複数のサンプル画像を含むシートを印刷させることを特徴とする請求項２に記載の画像処理方法。
【請求項４】
前記第２の印刷制御工程では、同心円状の印刷可能範囲を有する記憶媒体ディスクに画像を印刷させ、前記生成工程では、印刷対象の画像における前記記憶媒体ディスクに対応する領域を示すサンプル画像を生成することを特徴とする請求項１乃至３のいずれか１項に記載の画像処理方法。
【請求項５】
請求項１乃至４のいずれか１項に記載の画像処理方法をコンピュータに実行させるためのプログラム。
【請求項６】
印刷対象の画像に基づき、所定の形状を有する印刷媒体上に印刷させる場合の前記印刷対象の画像における印刷対象の領域を示すサンプル画像であって、前記領域の異なる複数のサンプル画像を生成する生成手段と、
前記生成手段により生成された複数のサンプル画像を含み、前記複数のサンプル画像のいずれかをユーザが指定するためのシートを印刷装置に印刷させる第１の印刷制御手段と、
前記第１の印刷制御手段により印刷されたシートを読取装置が読み取って得られた読取画像を取得する取得手段と、
前記取得手段により取得された読取画像に基づき前記シートに含まれる複数のサンプル画像のうちユーザが指定したサンプル画像を特定し、前記印刷対象の画像における、特定された当該サンプル画像に対応する領域の画像を、前記印刷装置により前記所定に形状に対応した印刷媒体に印刷させる第２の印刷制御手段と、
を有することを特徴とする画像処理装置。
【発明の詳細な説明】
【技術分野】
【０００１】
本発明は、記録手段により記録出力すべき画像データを画像読み取り手段から読み取らせたマークシートの記載情報により特定する画像処理方法、および画像処理装置に関するものである。
【背景技術】
【０００２】
プリンタのような印刷装置において、紙以外の記録媒体、たとえばＯＨＰ用のプラスチックシートなどに印刷を行なうものが古くより知られている。
【０００３】
また、近年になって、ラベル面が印刷できるようになっているＣＤ−ＲやＤＶＤ−Ｒのような記憶媒体ディスクが種々提供されており、このような記憶媒体ディスクのラベル面印刷に対応したプリンタも既に登場している。
【０００４】
ユーザは、このようなプリンタを用いて、デジタルカメラの写真データやビデオカメラの動画データを保存したＣＤ−Ｒ、ＤＶＤ−Ｒのような記憶媒体ディスクのラベル面に好みの画像（たとえば記憶媒体ディスク内の静止画や動画データのクリップイメージ）やキャプション、タイトルなどを構成する文字列を印刷することができる。
【０００５】
一方、動画や静止画を撮影可能なデジタルカメラなどの画像印刷制御や、ラベルの印刷にはＰＣ上のラベル印刷専用アプリケーションソフトを使用するのが一般的であるが、最近ではＰＣを使用せず、デジタルカメラや、メモリーカードを直接接続できる複合機（以下ＭＦＰと記す）タイプのプリンタでは、この種の処理（いわゆるダイレクトプリントなどの印刷制御）をプリンタ単体で実行できるものがある。
【０００６】
このような機種では、デジタルカメラを接続するＵＳＢやＩＥＥＥ１３９４のようなインターフェース、あるいはメモリーカード（ＳＤカード、ＣＦカードなど）などの記憶媒体のカードスロットのような種々のインターフェースを備え、デジタルカメラやメモリーカード内に格納された画像を記憶媒体ディスクのラベル面にレイアウトして印刷できる。
【０００７】
さらに、表示器の表示面積が限られているような機種で、かつスキャナのような画像読み取り手段を持つＭＦＰでは、写真画像のサムネイル画像とマーク欄を含んだマークシートを印刷し、ユーザがマーク欄にマークした後にＭＦＰのスキャナでこのマークシートを読ませることでマークを付けた写真を印刷できるようにしたものがある（例えば下記の特許文献１）。
【０００８】
この種のマークシートは、図４のように構成されている。図４のマークシートは、用紙のサイズや種類、印刷オプション、印刷部数などを指定するためのマーク欄Ａ、記憶媒体（メモリカード、ＵＳＢなどのインターフェースで接続されたデジタルカメラなど）中に格納された画像ファイルのサムネイル画像と、そのサムネイル画像に対応する画像印刷を指定するマーク欄を印刷したサムネイル欄Ｂ、印刷に関するユーザインストラクション（あるいはさらに再印刷指定マークなどを含む）を印刷したユーザインストラクション欄Ｃ、後にスキャナなどによりこのマークシートを読み取った時にマークシートの種別を識別するためのバーコード欄Ｅなどから構成されている。
【０００９】
ユーザは、このようなマークシートを印刷させ、サムネイル欄Ｂの所望の画像にマークを付し、希望のマーク欄Ａで用紙のサイズや種類、印刷オプション、印刷部数などを指定した上、スキャナなどにより読み取らせることにより、指定した条件で所望の画像を印刷することができる。
【特許文献１】特開２００２−２７３９７３号公報
【特許文献２】特開２００４−１１４４８５号公報
【特許文献３】特開２００４−２５５７６０号公報
【特許文献４】特開２００３−３０６７０号公報
【発明の開示】
【発明が解決しようとする課題】
【００１０】
規格上、ＣＤ−ＲやＤＶＤ−Ｒのような記憶媒体ディスクの中央にはスピンドルのための穴があり、写真画像などを記憶媒体ディスクに印刷する時には、この記憶媒体ディスク中央の穴の部分が写真のどの部分にかかるかが問題となる。たとえば、印刷する画像が人物写真などであり、写真中央の顔の部分が穴にかかると非常に見栄えの悪いラベル印刷結果になってしまう。
【００１１】
すなわち、旧来の定型の紙（あるいはプラスチックシートなど）媒体のように、印刷媒体が矩形であれば写真全体を大きな欠落なくレイアウトすることができるので、印刷前に印刷後の状態を確認する必要性は小さかった。
【００１２】
これに対し、記憶媒体ディスクは穴のある円形という特殊な形状であるため、写真を非常に小さく印刷するのでなければ、記憶媒体ディスクの中央に対応する印刷イメージの一部に欠落が発生するのを避けられない。記憶媒体ディスクのラベル面印刷では、このディスク形状が特殊である、という条件を考慮すると、欠落部分を印刷前に確認できなければならない、と考えられる。
【００１３】
この対応策としては、ＭＦＰにカラーディスプレイを搭載し、印刷前に印刷後の状態を表示するようにすることも考えられる。しかしながらカラーディスプレイの搭載によって装置全体が高価になってしまうという問題がある。
【００１４】
もちろん、ＰＣなどで印刷プレビューを行なうソフトウェアを用いればラベル面の印刷後の状態を表示できると考えられるが、特に家庭用などのＭＦＰでは、ＰＣなどの外部ホスト機器を用いずにダイレクトプリントなどの印刷制御を行なえるような製品仕様が採用され、基本的な印刷制御はなるべくＰＣなどを必要とせずに実行できることが要求される。
【００１５】
なお、写真画像をレイアウトして印刷する技術に関しては上記の特許文献２〜４などが知られているが、いずれも上記のような課題は認識されておらず、当然ながら何の解決の方法も示されていない。
【００１６】
本発明の課題は、上記の問題に鑑み、特殊な印刷可能範囲の形状を有する記録媒体、特に、ＣＤ−ＲやＤＶＤ−Ｒなどの記憶媒体ディスクのラベル面（非データ記録面）に対する印刷の態様をユーザーインターフェース手段が限られた印刷装置で簡単かつ確実に制御できるようにすることにある。
【課題を解決するための手段】
【００１７】
上記課題を解決するために本発明は、印刷対象の画像に基づき、所定の形状を有する印刷媒体上に印刷させる場合の前記印刷対象の画像における印刷対象の領域を示すサンプル画像であって、前記領域の異なる複数のサンプル画像を生成する生成工程と、前記生成工程において生成された複数のサンプル画像を含み、前記複数のサンプル画像のいずれかをユーザが指定するためのシートを印刷装置に印刷させる第１の印刷制御工程と、前記第１の印刷制御工程において印刷されたシートを読取装置が読み取って得られた読取画像を取得する取得工程と、  前記取得工程において取得された読取画像に基づき前記シートに含まれる複数のサンプル画像のうちユーザが指定したサンプル画像を特定し、前記印刷対象の画像における、特定された当該サンプル画像に対応する領域の画像を、前記印刷装置により前記所定の形状に対応した印刷媒体に印刷させる第２の印刷制御工程と、を有することを特徴とする。
【発明の効果】
【００１８】
上記構成によれば、ユーザは特定の形状を有する記録媒体上における印刷画像の複数の異なる印刷態様を前記レイアウトマークシート上で確認した上、種々の異なる印刷態様の中から所望の印刷態様をマーク指定して印刷に用いることができ、特殊な印刷可能範囲の形状を有する記録媒体、たとえば、ＣＤ−ＲやＤＶＤ−Ｒなどの記憶媒体ディスクのラベル面（非データ記録面）に対する印刷の態様をユーザーインターフェース手段が限られた印刷装置においても簡単かつ確実に制御することができる、という優れた効果がある。
【発明を実施するための最良の形態】
【００１９】
以下、本発明を実施するための最良の形態を説明する実施例を示す。以下では、画像読取手段（スキャナ）と、画像記録手段を有するＭＦＰ（複合機）に関する実施例を示す。
【実施例１】
【００２０】
図１は本発明を採用したＭＦＰの制御系の構造を示している。
【００２１】
図１において、符号１００は装置全体を制御するための中央演算処理部（ＣＰＵ）、１０１はプログラムおよびデータを記憶するＲＯＭ、１０２はＣＰＵワークデータ、表示用データ、画像データなどを記憶する記憶部（ＤＲＡＭ）である。
【００２２】
符号１０５は装置の状態表示や操作の案内表示を行なうＬＣＤなどから構成された表示部、１０６はカーソルキーなどから構成される操作部、１０８はカラーＣＣＤなどから構成されたカラー読み取り部、１０７はインクジェットプリンタなどから構成された記録部、１１１はデジタルカメラなどのメモリーカードを読み取ることのできるカードスロット、１１２はこのＭＦＰをスキャナやプリンタ、メモリーカードリーダーとして使用するときにＰＣと接続するためのＵＳＢインターフェースである。
【００２３】
上記の各部は、システムバス１１０で接続される。
【００２４】
図２は、図１のＭＦＰの操作部１０６の構成を示している。図２の操作部１０６は上記の各種表示を行なうためのＬＣＤ２０２、ＭＦＰの動作モードを指定するためのモードキー５０７、各種設定モードへ入るためのメニューキー５０２、設定項目の移動や値の変更に使用する上下左右キー５０６、設定入力キーである決定キー５０５と、コピーやスキャンなどの各種ジョブを開始させるためのスタートキー５０３およびジョブのキャンセルや設定のリセットに使用するキャンセルキー５０４などから構成されている。
【００２５】
また、本実施例では、操作部１０６にはマークシートキー５０１が設けられている。マークシートキー５０１は、後述のマークシートを用いた印刷制御に用いられる。
【００２６】
なお、モードキー５０７は、本実施例の場合「コピー」、「スキャン」、「写真プリント」の３つのモードをそれぞれ指定する３つのキーから成る。以下では、これらの各モードキーに言及する場合も、同じ５０７の符号を用いる。
【００２７】
ここでマークシートを用いた印刷制御に関して、モードキー５０７、およびマークシートキー５０１を使用したユーザーインターフェースの一例を示す。
【００２８】
たとえば、ユーザがモードキー５０７のうち、写真プリントキーを押し、その後にマークシートキー５０１を操作すると、操作部１０６のＬＣＤ２０２に図７のような１．マークシートを印刷する（７１）、２．マークシートを読み取り（７２）、といった処理をユーザに選択させるためのメニューを表示させる。ここで、ユーザーは５０６の方向キーでメニューアイテム７１、７２（…）を選択後、決定キー５０５を押すことでマークシートの印刷、あるいはマークシートの読み込みを行わせることができる。なお、図７の符号７０は、メニュータイトルの部分であるが、この例ではこのメニューに入るまでの［写真プリントキー］−＞［マークシートキー］の操作を表示して、メニューの階層構造が判るようにしてある。
【００２９】
次に本実施例における記憶媒体ディスクに対する印刷動作につき説明する。記憶媒体ディスクは、前述のようにＣＤ−ＲやＤＶＤ−Ｒのような記憶媒体である。以下では、記憶媒体ディスクの一例として、ＣＤ−Ｒにつき言及するが、同様の外形を有する記憶媒体ディスクであれば、以下の実施例は同様に他の記憶媒体ディスクにも適用可能である。
【００３０】
なお、ＣＤ−Ｒのラベル面に対してレイアウト印刷する場合、ラベル面に印刷する画像がＣＤ−Ｒに既に格納されている場合と、他の記憶メディアや格納場所に格納されている（この場合はラベル面に印刷する画像はＣＤ−Ｒに格納されている画像であってもよいし、また別の無関係の画像であってもよい）場合の２つが考えられる。
【００３１】
しかしながら、本発明は、ＣＤ−Ｒのラベル面に印刷する画像の入力経路により限定されるものではなく、このＣＤ−Ｒのラベル面に印刷する画像の入力経路は任意である。
【００３２】
たとえば、ラベル面に印刷すべき画像は外部のデジタルカメラなどから所定のインターフェースを介して入力してもよいし、あらかじめ装置の記憶部（ＤＲＡＭ、あるいは不図示のＨＤＤなど）に格納されているものを入力してもよい。また、本ＭＦＰが当該の記憶メディア（ＣＤ−Ｒ）を読み書きできるドライブを内蔵していたり、あるいはＵＳＢなどのインターフェースを介して接続できるような構成であれば、ラベル面に印刷すべき画像はＣＤ−Ｒから読み出すのが確実である。
【００３３】
ここでラベル面に印刷すべき画像がメモリーカードに格納されているものとすれば（この場合任意の画像でよく、目的のＣＤ−Ｒに格納されている（あるいはこれから格納する）画像である必要はない）、ユーザーは印刷すべき画像を格納したメモリーカードをカードスロット１１１に挿入した後に、操作部１０６で図２の写真プリントキー５０７を押下する。
【００３４】
続いて、マークシートキー５０１を押下し、上記のメニューインターフェースなどを用いてマークシート印刷を選択し、マークシートを印刷させる。
【００３５】
これに応じて、本実施例では図５のようなマークシート（第１のマークシート）を印刷する。図５のマークシートのサムネイル欄Ｂには、図４のものと同様にメモリカードに格納された画像のサムネイルと、対応する印刷指定マーク欄が配置されるが、図５のマークシートの従来のマークシート（図４）との相違はマーク欄Ａの構成にある。
【００３６】
すなわち、図５のマークシートの場合、マーク欄Ａには、印刷媒体としてＣＤ−Ｒラベル面を指定するためのマーク欄Ａ１が設けてある。
【００３７】
本実施例では、サムネイル欄Ｂの所望の画像にマークを行なった上、マーク欄Ａ１にマークを付して図５のマークシートを読み取らせると、図６のような第２のマークシートを印刷する。
【００３８】
なお、本実施例ではマーク欄Ａ１により２枚までの画像を指定できるが、この枚数をいずれに制限するかは任意であり、図６の第２のマークシートの１枚の紙面で、画像の枚数を優先させるか、あるいはレイアウトの数を優先させるかにより適宜定めておけばよい。また、適当なユーザーインターフェースを介してマーク欄Ａ１により指定可能な画像枚数（の上限）を変更できるようにしておいてもよい。
【００３９】
図６の第２のマークシートは、「レイアウトナビシート」であり、ユーザがＣＤ−Ｒラベル印刷の出来上がり（レイアウト）状態を確認できるよう数種類のレイアウトで画像を配置して出来上がり状態を印刷したもので、第２のマークシート（図６）をユーザは所望のレイアウトにマークを行ない、再度読み取らせることにより、そのレイアウトでＣＤ−Ｒラベル印刷を行なうことができる。
【００４０】
図５のマークシートで２枚まで画像を指定できる（マーク欄Ａ１）ようになっていたので、図６では１枚または２枚の画像を用いてＣＤ−Ｒラベル面のレイアウト状態を生成し、印刷している。
【００４１】
すなわち、図６の符号Ｆの部分は、１枚のみ写真が指定された場合のレイアウト候補をユーザーに提示している。人物の写った写真を印刷したい場合、人物は中央に写っていることが多いので写真の中央部分をＣＤ−Ｒの中央の穴の部分に重ねると顔のない写真をラベルに印刷してしまうことになる。このようなことを避けるために写真のどの部分をＣＤ−Ｒに印刷するのか選択できるように複数のレイアウト候補を提示している。
【００４２】
第１のマークシートでユーザーが選択した写真と重ねてＣＤ−Ｒの印刷範囲を示す円を描画することでＣＤ−Ｒラベルの出来上がり状態を示している。
【００４３】
また、図６のＧの部分は、写真が１枚だけ指定された場合には印刷されないが、写真が２枚指定された場合には、図示のようにレイアウトの候補を示している。写真を２枚用いて生成したレイアウト候補を印刷したものである。
【００４４】
また、複数の写真を配置する場合は相互の関係も重要である。すなわち片方の写真が縦長であったり、天地が逆転している可能性もある。そこで図６のＧ部分では２枚の写真の相対関係が選択できるように複数の候補を提示している。この部分も第１のマークシートでユーザーが選択した写真画像とＣＤ−Ｒの印刷範囲を示す円を重ねて描画している。
【００４５】
さらに図６の、ＦまたはＧの部分のレイアウト状態は、ユーザがＰＣなどの外部手段を用いて所望の編集をできるようにしてもよいが、ＭＦＰが家庭用などの仕様で企画される場合は、たとえば、自動的に生成する方がユーザにとって簡便であり、また装置の製造コストも小さくて済む。
【００４６】
本実施例における図６のＦのレイアウトは、画像の長方形範囲を構成する辺に内接するようにＣＤ−Ｒの外周の円を組合せたものであり、その内接の態様を右、中央、左、３辺に内接、３辺に内接で画像は上下逆…のように変更してそれぞれ生成されたレイアウト、Ｇのレイアウトは画像の中央部がＣＤ−Ｒの中央の穴を除いた印刷面でもっとも広くカバーされるように２つの画像を配置し、その場合、１つの画像の縦と横を入れかえ（９０度回転）たものである。
【００４７】
このようなマークシートの複数のレイアウトの態様は、同心円状のＣＤ−Ｒのラベル面の印刷可能範囲における印刷画像の位置を変更、ＣＤ−Ｒのラベル面の印刷可能範囲での印刷画像の変倍率を変更、あるいは画像の回転状態やフリップ状態（上下／左右の反転状態）を変更するなどの画像処理を行なうことにより、マークシート上に複数の異なる印刷態様として形成することができる。
【００４８】
また、図示した程度の数のレイアウト種類により、長方形の画像の主要と思われる種々の部位をカバーでき、よほど極端な構図の画像でないかぎり、たとえば人物のスナップショット、集合写真、ポートレートなどであればかなり多くのユーザの希望を満たすレイアウトを提示できると考えられる。
【００４９】
なお、図６の例では、複数レイアウトを生成するのに、印刷画像の位置の変更、変倍率の変更、画像のフリップなどを組合せているが、これらの画像処理を全てレイアウト生成に適用しなければならない、ということはなく、たとえば、マークシート紙面が足りないなどの条件に応じて、都合の良い画像処理のみを選んでレイアウト生成に用いるようにすることができる。
【００５０】
次に、上述のような第１および第２のマークシートを用いて行なう印刷制御手順、特にマークシートの読み取り以降の処理を図３を用いて説明する。図示の手順は、ＣＰＵ１００の制御プログラムとしてＲＯＭ１０１に格納しておけばよい。
【００５１】
ユーザーは、マークした第１または第２のマークシートを読み取り部１０８の原稿台に載せ、操作部１０６からマークシート読み取りの操作を行なう（ステップＳ３０１）。
【００５２】
続いてステップＳ３０２では、読み取ったマークシートの種別を判定する。本実施例ではマークシートには、上述のように図５で示した第１のマークシートと図６の第２のマークシートがある。当然ながら、第１および第２のマークシートのバーコードＥとして、第１および第２のマークシートでそれぞれ固有の識別情報を印刷しておくが、このバーコード情報を読み取ることにより、スキャンしたマークシートが第１のマークシート（図５）、または第２のマークシート（図６）のいずれであるかを容易に識別することができる。
【００５３】
このステップＳ３０２で、図５の第１のマークシートを検出した場合にはステップＳ３０３へ、図６の第２のマークシート（レイアウトマークシート、あるいはレイアウトナビシート）を検出した場合にはステップＳ３０６に進む。
【００５４】
第１のマークシートを検出した場合には、ステップＳ３０３において、マーク欄ＡおよびＡ１のマーク状態を調べ、印刷媒体の種別やサイズに関する指定を検出する。
【００５５】
マーク欄Ａ１によりＣＤ−Ｒラベル印刷が指定されている場合には、ステップＳ３０４に進み、図６の第２の（レイアウト）マークシートの印刷を行ない、待機状態へ戻る。
【００５６】
一方、マーク欄Ａ１によりＣＤ−Ｒラベル印刷が指定されていない場合には、ステップＳ３０５で指定された印刷媒体に対する従来通りの画像印刷を行ない終了したら待機状態へ戻る。
【００５７】
第２のマークシート（図６）を印刷（Ｓ３０４）させた後、ユーザは第２のマークシートから好みのレイアウトを一つ選択してマークし、読み取り部１０８の原稿台に載せ、マークシート読み取りの操作（たとえば操作部１０６のモードキー５０７のうちスキャンキーを用いた操作）を行なう。
【００５８】
これにより、図３の処理が再び開始され、この場合はステップＳ３０２からステップＳ３０６へ移行することになる。ステップＳ３０６では、ＣＤ−Ｒのラベル面に印刷する画像を合成するが、ここでは選択された写真画像から印刷されない部分を、指定されたレイアウトに合致するようマスクし、必要であればＣＤ−Ｒの実寸に合せた変倍処理を行ない、得られた画像をＤＲＡＭ１０２上に生成する。
【００５９】
なお、レイアウトのための画像合成の条件、たとえば図６のＦのように、右、中央、左、３辺に内接、３辺に内接で画像は上下逆…といった処理条件は、図６の各レイアウト画像とあらかじめ関連づけて記憶しておき、図６の各レイアウト画像下部のマーク欄による指定が行なわれると、該当の画像合成の条件が選択され、その条件でレイアウトのための画像合成を行なうのはいうまでもない。
【００６０】
続いてステップＳ３０７において、ステップＳ３０６で得られた画像を記録部１０７でＣＤ−Ｒのラベル面に印刷する。インクジェットプリンタのような印刷機構に、ＣＤ−Ｒメディアを装填してラベル面に直接印刷するための機構については公知なので、ここでは詳細な説明を省略する。
【００６１】
以上のように、本実施例によれば、ユーザが第１のマークシート（図５）で画像を指定するとともに、印刷媒体として記憶媒体ディスク（ＣＤ−Ｒ）のラベル面を指定した場合には、第２のマークシート（図６）、すなわちレイアウトマークシート（レイアウトナビシート）を出力するようにしているので、画像表示器（カラーＬＣＤなど）の無い装置においても、第２のマークシート（図６）により、ユーザは記憶媒体ディスクの印刷可能範囲（たとえばＣＤ−Ｒの場合ドーナツ形状という特殊な形状）への最終印刷状態を画像で確認することができ、しかも、第２のマークシート（図６）では種々の異なるレイアウト状態を出力するようにしているので、最適な（所望の）レイアウトを指定して記憶媒体ディスクのラベル面印刷を行なうことができる。
【００６２】
また、第１のマークシート（図５）で画像を指定して絞り込んだ画像についてだけ、第２のマークシート（図６）のレイアウトを生成し、印刷すればよいので、第２のマークシート（図６）により多数のレイアウトを提示することができ、その場合、ディスプレイがなくても、またその表示面積が限られていても、ユーザは画像の指定を第１のマークシート（図５）を介して容易に行なえる。
【００６３】
なお、以上では、便宜上ＣＤ−Ｒを記憶媒体ディスクとして例示したが、他の同様の記憶媒体ディスクでも同様の印刷制御を行なえるのはいうまでもない。また、以上では、記憶媒体ディスクに直接印刷することを考えたが、所定の印刷範囲を切り取ってＣＤ−Ｒラベルとして用いることができるステッカシートなどに対する印刷においても同様の技術を適用できる。
【実施例２】
【００６４】
上記実施例では、第１のマークシート（図５）で印刷媒体として記憶媒体ディスク（ＣＤ−Ｒ）のラベル面を指定した場合に、第２のマークシート（図６）を印刷するようにしている。
【００６５】
しかしながら、印刷するマークシートの種類は、必ずしも実施例１のような制御により選択する必要はない。
【００６６】
たとえば、装置のハードウェア構成が実施例１と同等であるものとすると、［写真プリントキー］−＞［マークシートキー］の操作に応じて、図９のようなメニューインターフェースを表示し、直接ここから第２のマークシート（レイアウトナビシート：図１０）を印刷できるようにしておくことが考えられる。
【００６７】
図９の９０番台の符号は図７の７０番台の各符号に対応し、９０はメニュータイトル７０と同様、メニューアイテム９３は、７２と同様にマークシート読み取りを指定するものである。
【００６８】
メニューアイテム９１は、紙媒体用のマークシートの印刷を指定するもの、メニューアイテム９２は、記憶媒体ディスク用のレイアウトナビシート（本実施例では主にこちらの用語を用いる）の印刷を指定するものである。
【００６９】
図９のようなメニューにより、直接記憶媒体ディスク用のレイアウトナビシートの印刷を指定できるようにしておけば、１回目のマークシートの印刷でレイアウトナビシート（図１０）を得られる。
【００７０】
なお、レイアウトナビシート（図１０）にレイアウト出力する画像は、他の適当なユーザーインターフェースで別途選択してもよいし、格納場所（メモリカードの特定フォルダなど）にある画像を全てレイアウトナビシートに出力するような構成でもよい。
【００７１】
なお、メニューアイテム９１の指定により印刷する紙媒体用のマークシートは、図４のような従来と同等のマークシートとするか、あるいは、実施例１の図５のような第１のマークシート（第２のマークシート印刷を指定可能な欄Ａ１を含むもの）のいずれであってもよい。メニューアイテム９１の指定により印刷する紙媒体用のマークシートとして図５のような第１のマークシートを用いれば、実施例１と同等の制御も可能となる。
【００７２】
さて、メニューアイテム９２により、印刷される記憶媒体ディスク用のレイアウトナビシートは、たとえば図１０のように構成する。
【００７３】
図１０のレイアウトナビシートは、縦横２次元に複数のレイアウト画像を配置したものであるが、ここでは同じ列（縦方向：Ｉ１〜Ｉ５）内で同じ画像を用い、同じ行（横方向：Ｈ１〜Ｈ６）内では同じレイアウトを用いるように各レイアウト画像が生成されており、異なる行ではそれぞれ異なるレイアウトを用いている。
【００７４】
たとえば行Ｈ１〜Ｈ３のレイアウトは、画像の長方形の２辺に記憶媒体ディスクの円が内接するが、ディスクの円はＨ１〜Ｈ３でそれぞれ画像の右方、中央、左方にそれぞれ位置するようになっている。行Ｈ４およびＨ５のレイアウトは、画像を変倍し、画像の長方形の３辺にディスクの円が内接するように配置したもので、行Ｈ４では画像の上辺に、また、行Ｈ５では画像の下辺にディスクの円が内接するようにしてある。
【００７５】
行Ｈ６のレイアウトでは、同心円状のラベル面（印刷可能範囲）の中央から左側の一部の領域に、なるべく大きな面積が入るよう、画像を変倍して配置したものである。図１０の場合、ディスク中心の非印刷領域の高さと画像の高さが等しく、また、印刷可能範囲の同心円の半径と画像の幅が一致するようになっているが、実際にはこのように画像の高さおよび幅の寸法の両方をこのように一致させることは難しいと考えられるので、画像の高さまたは幅のいずれかが上記のような関係になるように変倍を行なうことにより、行Ｈ６と同等のレイアウトが可能になる。
【００７６】
なお、１枚のレイアウトナビシートで画像を全てレイアウト出力できなければ、レイアウトナビシートを複数枚出力するように制御を行なえばよい（この構成は実施例１でも同様に実施できる）。
【００７７】
また、図１０のレイアウトナビシートのバーコードの部分（Ｅ）には、他の様式のマークシート（図４、図５、図６など）と識別可能な情報を記録しておくのはもちろんであり、このバーコード情報により後続の解析処理（たとえば下記のステップＳ３０２）を容易かつ確実に行なえる。
【００７８】
次に、図１０のようなマークシート（レイアウトナビシート）を用いて行なう印刷制御手順、特にマークシートの読み取り以降の処理を図８を用いて説明する（図３と同等の処理には同一のステップ番号を用いている）。図示の手順は、上述の実施例同様、ＣＰＵ１００の制御プログラムとしてＲＯＭ１０１に格納しておけばよい。
【００７９】
ユーザが、図１０のマークシートから好みのレイアウトを一つ選択してマークし、これを読み取り部１０８（図１）の原稿台にのせ、マークシート読み取りの操作を行なう（ステップＳ３０１）。
【００８０】
続いて、ステップＳ３０２では読み取ったマークシート画像から、読み取ったマークシートの種別を判定する。ここで判別すべきマークシートは、紙媒体用のマークシート（図４で示した従来同様のマークシートか、実施例１の図５のマークシート）か、図１０のレイアウトナビシート（ＣＤ−Ｒ用マークシート）である。この種別の判別はバーコード情報（各マークシートのＥ）で判別できる。
【００８１】
ここで紙媒体用のマークシートを検出した場合には、ステップＳ３０５で紙媒体への印刷を実行して待機状態へ戻る。
【００８２】
一方、読み取ったマークシートが図１０のレイアウトナビシートであれば、ステップＳ３０６へ進む。
【００８３】
ステップＳ３０６では、前述同様に選択された写真画像から印刷されない部分を、指定されたレイアウトに合致するようマスクし、必要であればＣＤ−Ｒの実寸に合せた変倍処理を行ない、得られた画像をＤＲＡＭ１０２（図１）上に生成する。
【００８４】
続いてステップＳ３０７で、ステップＳ３０６で得られた画像を記録部１０７（図１）でＣＤ−Ｒのラベル面に印刷する。
【００８５】
本実施例によれば、メニューユーザーインターフェースから直接、記憶媒体ディスクのラベル面のレイアウトナビシートを出力させることができるので、ユーザは容易かつ短時間で印刷レイアウトの検討に入ることができる。また、レイアウトナビシートでは、行、列の方向に一定の規則に基づいて整然と、レイアウトする画像、およびレイアウトの種別を適用しているので、ユーザは容易にレイアウト出力の意味を理解し、容易かつ短時間で所望のレイアウトを発見することができる。
【産業上の利用可能性】
【００８６】
本発明の画像処理方法は、該方法を実施する画像処理装置の製品の名称（たとえば上記実施例におけるＭＦＰ（マルチファンクションプリンタ装置））などによって限定を受けることなく、読み取り手段と記録手段を有する種々の画像処理装置において実施することができる。本発明の制御プログラムは、画像処理装置の出荷時から画像処理装置のＲＯＭなどのメディアに格納しておく他、種々の外部記憶媒体（ＣＤＲＯＭ、フレキシブルディスクなど）からこれらの装置に供給することができ、あるいは任意のサーバからネットワーク経由で供給することもできる。
【図面の簡単な説明】
【００８７】
【図１】本発明を採用したＭＦＰの制御系の構成を示したブロック図である。
【図２】図１の装置の操作部の構成を示した説明図である。
【図３】図１の装置における印刷制御を示したフローチャート図である。
【図４】従来の一般的なマークシートの構成を示した説明図である。
【図５】図１の装置で用いられる第１のマークシートの構成を示した説明図である。
【図６】図１の装置で用いられる第２のマークシートの構成を示した説明図である。
【図７】図１の装置で用いられるマークシート関係のユーザーインターフェース構成を示した説明図である。
【図８】異なる実施例における印刷制御を示したフローチャート図である。
【図９】異なる実施例におけるマークシート関係のユーザーインターフェース構成を示した説明図である。
【図１０】異なる実施例における第２のマークシートの構成を示した説明図である。
【符号の説明】
【００８８】
１００  ＣＰＵ
１０１  ＲＯＭ
１０２  ＤＲＡＭ
１０５  表示部
１０６  操作部
１０７  記録部
１０８  読み取り部
１１１  カードスロット
１１２  ＵＳＢインターフェース
２０２  ＬＣＤ
５０１  マークシートキー
５０２  メニューキー
５０３  スタートキー
５０４  キャンセルキー
５０５  決定キー
５０６  上下左右キー
５０７  モードキー
【図１】
0004617241.tif 000002
【図２】
0004617241.tif 000003
【図３】
0004617241.tif 000004
【図４】
0004617241.tif 000005
【図５】
0004617241.tif 000006
【図６】
0004617241.tif 000007
【図７】
0004617241.tif 000008
【図８】
0004617241.tif 000009
【図９】
0004617241.tif 000010
【図１０】
0004617241.tif 000011